(57)【特許請求の範囲】
【請求項１】
表面に円弧型の溝が、複数、個々にそれらの湾曲方向を揃えて連設され、前記複数の溝の外部上方に配置される光源からの入射光を反射自在としてなることを特徴とする反射体。
【請求項２】
前記円弧型の複数の溝と交差する直線状の複数の溝が連設されたことを特徴とする請求項１に記載の反射体。
【請求項３】
サイズが２〜４インチの表示画面に適用され、前記円弧型の溝の湾曲半径Ｒが２０〜１００ｍｍであることを特徴とする請求項１または２に記載の反射体。
【請求項４】
サイズが４〜７インチの表示画面に適用され、前記円弧型の溝の湾曲半径Ｒが１００〜３００ｍｍであることを特徴とする請求項１または２に記載の反射体。
【請求項５】
前記円弧型の溝の深さが内曲面の半径の１〜３％であることを特徴とする請求項１〜４のいずれかに記載の反射体。
【請求項６】
前記円弧型の溝の幅が２５〜７５μｍの範囲とされてなることを特徴とする請求項１〜５のいずれかに記載の反射体。
【請求項７】
前記直線状の溝の幅が前記円弧型の溝の幅の３０％以内とされてなることを特徴とする請求項２〜６のいずれかに記載の反射体。
【請求項８】
前記直線状の溝の深さが前記円弧型の溝の内曲面の半径の１〜３％の範囲内とされてなることを特徴とする請求項２〜７のいずれかに記載の反射体。
【請求項９】
前記直線状の溝の間隔が前記直線状の溝の幅の１.１〜３倍の範囲内とされてなることを特徴とする請求項２〜８のいずれかに記載の反射体。
【請求項１０】
請求項１〜９のいずれかに記載の反射体を備えたことを特徴とする反射型液晶表示装置。
【発明の詳細な説明】
【０００１】
【発明の属する技術分野】
本発明は、広範囲にわたって高い反射効率を有する反射体、およびその反射体を用いた反射型液晶表示装置に関するものである。
【０００２】
【従来の技術】
近年、ハンディタイプのコンピュータなどの表示部として、特に消費電力が小さいことから反射型液晶表示装置が広く利用されている。この反射型液晶表示装置には、表示面側から入射した光を反射させて表示を行うための反射板が備えられている。そして、従来の反射板には、表面が鏡面状態とされた反射板や表面にランダムな凹凸が形成された反射板が用いられていた。
このうち、図７に示すように、ランダムな凹凸面を備えた従来の反射板６０は、例えば厚さ３００ないし５００μｍのポリエステルフィルム６１を加熱することによってその表面に高さが数μｍの凹凸からなる凹凸面６１ａを形成し、さらに凹凸面６１ａ上に蒸着等の方法を用いてアルミニウムや銀等からなる反射膜６２を成膜することにより形成したものである。
【０００３】
この種の反射板６０を用いた従来の反射型液晶表示装置は、図８に示すように、一対のガラス基板５１、５２の各々の対向面側に透明電極層５３、５４を設け、さらにこれら透明電極層５３、５４の各々の上に液晶の配向膜５５、５６を設け、これら配向膜５５、５６間に液晶層５７を配設した構成となっている。そして、ガラス基板５１、５２の外側にそれぞれ第１、第２の偏光板５８、５９を設け、第２の偏光板５９の外側には反射板６０を反射膜６２側の面を第２の偏光板５９側に向けて取り付けている。
【０００４】
上記構成の反射型液晶表示装置５０において、第１の偏光板５８に入射した光はこの偏光板５８によって直線偏光され、偏光された光が液晶層５７を透過することによって楕円偏光される。そして、楕円偏光された光は第２の偏光板５９によって再び直線偏光され、この直線偏光された光が反射板６０にて反射されて、再び第２の偏光板５９、液晶層５７を透過して第１の偏光板５８から出射する。
【０００５】
ここで、この反射板と反射型液晶表示装置における入射光に対する反射特性に関しては、以下のようなことが言える。
図７に示すように、反射膜６２上に配置した点光源からの入射光Ｊの入射角度を反射膜６２表面に対する法線に対して入射角度３０度に一定にしたとき、反射光Ｋの反射角度θを０度から６０度に変化させた場合の反射率を測定すると、反射角度３０度での反射率約１１００％をピークとして左右の反射角度２０度以下及び４０度以上では反射率がほぼ最低となることがわかった。そして、反射板単独での測定のみならず、この反射板を備えた液晶表示装置として測定してもこの傾向は同様であって、反射角度３０度での反射率約１００％をピークとして反射角度２３度以下ないし３７度以上の範囲でほぼ０％に低下することが判明した。
【０００６】
なお、表面を鏡面とした反射板の反射特性に関しては、一般に、表面にランダムな凹凸を持つ反射板と比較して、入射角度に対する特定の反射角度において非常に高い反射率を示す。しかしながら、反射率の高い反射角度の範囲が極めて狭い、すなわち視野角が狭いという特性を持っている。
【０００７】
【発明が解決しようとする課題】
上述したように、ランダムな凹凸反射面を持つ従来の反射板は、反射効率が悪いために全体に反射率が低く、入射光をより広範囲の反射角度で反射させるという反射板のニーズに充分に応えることができなかった。したがって、この種の反射板を用いた反射型液晶表示装置は、視野角が約２５ないし３５度の範囲と狭く、しかも表示面の明るさも充分とはいえないという問題があった。
【０００８】
そこで、この問題を解決するために、表面に直線状に延びる多数のストライプ溝を形成した反射板が提案されている。しかしながら、この反射板の場合、ストライプ溝に垂直な方向に関しては、ある範囲の反射角度に関しては所望の明るさが得られるものの反射角度範囲が狭く、さらに、ストライプ溝に垂直な方向以外の方向に関しては、反射率がそもそも低い上に反射角度も極めて狭いものであった。したがって、この種の反射板を液晶表示装置に適用したところで、特にストライプ溝に平行な方向において、視野角が狭い、表示面の明るさが充分に得られない、といった上記の問題が解決できなかった。
【０００９】
本発明は、上記の課題を解決するためになされたものであって、広範囲の反射角度を持ち、反射効率の向上を図ることができる反射体、並びにそのような反射体を用いることでいずれの方向においても視野角が広く、表示面が明るい反射型液晶表示装置を提供することを目的とする。
【００１０】
【課題を解決するための手段】
上記の目的を達成するために、本発明の反射体は、表面に円弧型の溝が、複数、個々にそれらの湾曲方向を揃えて連設され、前記複数の溝の外部上方に配置される光源からの入射光を反射自在としてなる構成とした。この反射体においては、溝に直交する方向から光が入射した場合、その光が当たる面が湾曲しているため、溝が直線状である場合に比べて光の反射角度をより広げることができる。
【００１１】
ここで、上記湾曲した溝（以下、湾曲溝という）の湾曲半径Ｒは、適用する液晶表示装置の表示画面の大きさによって適宜設定することができる。例えば、大きさが２ないし４インチの画面では２０ｍｍ≦Ｒ≦１００ｍｍ、大きさが４ないし７インチの画面では１００ｍｍ≦Ｒ≦３００ｍｍとすることが望ましい。その理由は、湾曲半径Ｒが小さすぎると画面正面からの光を有効に利用できず、Ｒが大きすぎると周囲からの光の集光効率が低くなってしまうからである。
湾曲溝の溝深さは、湾曲溝の内曲面の半径の１ないし３％とすることが望ましい。その理由は、１％未満であると湾曲溝内曲面の水平面に対する傾斜角度が小さくなるので、正反射に近い反射特性となり、湾曲溝に直交する方向から入射する光に対する反射特性を改善することができず、また、３％を越えると有効視野角に光を集光できなくなるからである。
湾曲溝の溝幅ｗは、２５μｍ≦ｗ≦７５μｍとすることが望ましい。その理由は、幅ｗが２５μｍ未満では湾曲溝を等幅に形成した場合に干渉色が見え、７５μｍを越えると溝の稜線部による縞模様が目視されてしまうからである。
【００１２】
また、上記湾曲溝に加えて、この湾曲溝と交差する直線状の多数の溝を連設してもよい。この直線状の溝（以下、直線溝という）を設けた場合には、湾曲溝に沿った方向から入射した光が直線溝の部分で広範囲に反射するため、湾曲溝に直交する方向に加えて湾曲溝に沿った方向からの入射光に対しても光の反射角度を広げることができる。なお、これら多数の直線溝は放射状に設けてもよいし、各々が平行に延びるように設けてもよい。
【００１３】
この直線溝を設けた反射体の場合、直線溝の溝幅は、湾曲溝の溝幅ｗの３０％以下であることが望ましい。その理由は、直線溝の溝幅が湾曲溝の溝幅ｗの３０％を越えると直線溝の反射特性が支配的になりすぎて湾曲溝の傾斜面の形状効果が薄れ、光が有効範囲に効率良く集光しなくなるからである。
直線溝の溝深さは、直線溝の内曲面の半径の１ないし３％とするのが望ましい。その理由は、１％未満であると水平面に対する直線溝内曲面の傾斜角度が小さくなって湾曲溝に沿った方向から入射する光に対する反射特性を改善することができず、また、３％を越えると乱反射するようになって有効視野角に光を効率良く集光できなくなるからである。
直線溝間の間隔は、直線溝の溝幅の１．１ないし３倍とすることが望ましい。その理由は、１．１倍未満であると接近した直線溝を形成する際の塑性変形によって直線溝の形状が歪んでしまい、所望の反射特性が得られず、また、３倍を越えると直線溝の間隔が開きすぎるため湾曲溝の反射特性が支配的になりすぎ、湾曲溝に沿った方向から入射する光に対する反射特性を改善することができないからである。
【００１４】
また、本発明の反射型液晶表示装置は、上記のような反射体、すなわち表面に平面的に湾曲した形状を持つ多数の溝を連設した反射体を備えたことを特徴とするものである。なお、この反射体は、外付け型または内蔵型のいずれのタイプであってもよい。
本発明の反射型液晶表示装置によれば、上述したように、反射体自体が高い反射効率と広範囲の反射方向を持っているため、従来の反射型液晶表示装置に比べていずれの方向においても視野角が広がり、表示面を全体的に明るくすることができる。
【００１５】
【発明の実施の形態】
以下、本発明に係る第１の実施の形態の反射体を図面に基づいて説明する。
図１は本実施の形態の反射体を示す図である。この図に示すように、本実施の形態の反射体１は、例えば純アルミニウム等の金属材料からなる基板２の表面に各溝の溝幅および溝深さが等しい湾曲溝３が多数連設されたものである。
【００１６】
上記湾曲溝３の湾曲半径Ｒは、適用する液晶表示装置の表示画面の大きさにより適宜設定することができる。例えば、大きさが２ないし４インチの画面においては２０ｍｍ≦Ｒ≦１００ｍｍ、大きさが４ないし７インチの画面においては１００ｍｍ≦Ｒ≦３００ｍｍとすることが望ましい。湾曲半径Ｒが小さすぎると画面正面からの光を有効に利用できず、Ｒが大きすぎると周囲からの光の集光効率が低くなってしまうからである。
湾曲溝３の溝深さは、湾曲溝３の内曲面の半径の１ないし３％とすることが望ましい。１％未満であると湾曲溝３の内曲面の水平面に対する傾斜角度が小さくなるので、正反射に近い反射特性となり、湾曲溝３に直交する方向から入射する光に対する反射特性を改善することができず、また、３％を越えると有効視野角に光を集光できなくなるからである。
湾曲溝３の溝幅ｗは、２５μｍ≦ｗ≦７５μｍとすることが望ましい。幅ｗが２５μｍ未満では湾曲溝３を等幅に形成した場合に干渉色が見え、７５μｍを越えると湾曲溝３の稜線部による縞模様が目視されてしまうからである。
【００１７】
上記構成の反射体１を製造する際には、まず、純アルミニウム製のドーナツ状の円板からなる基板２を回転テーブルの上に置いて回転させつつ、基板２表面の外周部にバイトを押し付けながら基板２の回転中心に向けて移動させて基板２の表面を切削加工する。このようにして、基板２表面に渦巻状の湾曲溝３を形成する。そして、この円板から矩形状の板を切り出すことによって、本実施の形態の反射体１が得られる。
【００１８】
この反射体１においては、湾曲溝３に直交する方向から光が入射した場合、その入射光が当たる反射面が湾曲しているため、表面が鏡面状態またはランダムな凹凸が形成された従来の反射板に比べて光の反射角度をより広いものとすることができる。
【００１９】
以下、本発明に係る第２の実施の形態の反射体を図面に基づいて説明する。
図２は本実施の形態の反射体を示す図である。この図に示すように、本実施の形態の反射体５は、例えば純アルミニウム等の金属材料からなる基板６の表面に、各溝の溝幅および溝深さが等しい湾曲溝７が多数連設され、さらに各溝の溝幅、溝深さおよび溝間の間隔が等しい直線溝８がこれら湾曲溝７と直交するように放射状に多数連設されたものである。
【００２０】
上記湾曲溝７の湾曲半径、溝深さ、溝幅ｗの好ましい範囲は、第１の実施の形態の項で述べたとおりである。
一方、直線溝８に関しては、溝幅が湾曲溝の溝幅ｗの３０％以下であることが望ましい。直線溝８の溝幅が湾曲溝７の溝幅ｗの３０％を越えると直線溝８の反射特性が支配的になりすぎて湾曲溝７の傾斜面の形状効果が薄れ、光が有効範囲に効率良く集光しなくなるからである。
直線溝８の溝深さは、直線溝８の内曲面の半径の１ないし３％とするのが望ましい。１％未満であると水平面に対する直線溝８の内曲面の傾斜角度が小さくなって湾曲溝７に沿った方向から入射する光に対する反射特性を改善することができず、また、３％を越えると乱反射するようになって有効視野角に光を効率良く集光できなくなるからである。
直線溝８間の間隔は、直線溝８の溝幅の１．１ないし３倍とすることが望ましい。１．１倍未満であると接近した直線溝８を形成する際の塑性変形によって直線溝８の形状が歪んでしまい、所望の反射特性が得られず、また、３倍を越えると湾曲溝７の反射特性が支配的になりすぎ、湾曲溝７に沿った方向から入射する光に対する反射特性を改善することができないからである。
【００２１】
上記構成の反射体５を製造する際には、まず、純アルミニウム製のドーナツ状の円板からなる基板６を回転テーブルの上に置いて回転させつつ、基板６表面の外周部にバイトを押し付けながら基板６の回転中心に向けて移動させて基板６表面を切削加工し、基板６表面に渦巻状の湾曲溝７を形成する。次に、湾曲溝７を形成した基板６表面の内周部にダイヤモンドからなる圧子を一定荷重で押し付けながら、この圧子を基板６中心から半径方向に延びる直線に沿って外周部に向けて移動させ、基板６表面に塑性変形を与えつつ湾曲溝７に直交する直線溝８を形成する。続いて、基板６中心を通る上記直線と所定角度をなす直線に沿って、上記の直線溝８を形成するのと同様の方法で別の直線溝８を形成し、以下これと同様にして直線溝８の形成を繰り返す。最後に、この円板から矩形状の板を切り出すことによって、本実施の形態の反射体５が得られる。
【００２２】
この反射体５においても、第１の実施の形態の反射体と同様、湾曲溝７に直交する方向からの入射光に対する反射角度が広がるという効果を奏することができる。さらに、本実施の形態の場合、その効果に加えて、湾曲溝７に沿った方向から入射した光が直線溝８の部分で広範囲に反射し、湾曲溝７に沿った方向からの入射光に対しても光の反射角度を広げることができる。
【００２３】
なお、本実施の形態では、多数の直線溝８を放射状に設けた例を示したが、各直線溝が平行に延びるようにしてもよい。また、上記第１、第２の実施の形態においては、湾曲溝や直線溝の溝幅、溝深さ、溝間隔が全て等しいものとして説明したが、この構成に限ることなく、湾曲溝、直線溝それぞれにおいて各溝の溝幅、溝深さ、溝間隔が上述した好ましい数値範囲内で異なるものであってもよい。
【００２４】
また、上記第１、第２の実施の形態は、表面に多数の湾曲溝や直線溝を形成したアルミニウム板をそのまま反射体として使用する例であったが、この形態に代えて、次のような構成としてもよい。
まず、任意の金属板の表面に上記と同様の方法を用いて多数の湾曲溝または直線溝を形成する。そして、この金属板を母型とし、その溝を形成した面の上にシリコーン等の樹脂材料を流し込み硬化させることによって、母型の型面と逆の凹凸形状を持つ転写型を作成する。その後、この転写型の型面を反射体用の樹脂材料からなる樹脂基材の表面に押し付け、樹脂基材の表面に母型の型面と同様の湾曲溝または直線溝を転写する。最後に、溝を形成した樹脂基材の表面にアルミニウム等を成膜して反射膜とすることにより、反射体が得られる。この反射体を用いてもよい。
【００２５】
次に、本発明に係る反射体を用いたＳＴＮ（Ｓｕｐｅｒ  Ｔｗｉｓｔｅｄ  Ｎｅｍａｔｉｃ  ）方式の反射型液晶表示装置について説明する。
図３に示すように、この反射型液晶表示装置は、例えば厚さ０．７ｍｍの一対の表示側ガラス基板１３と背面側ガラス基板１４との間に液晶層１５を設け、表示側ガラス基板１３の上面側にポリカーボネート樹脂やポリアリレート樹脂等からなる１枚の位相差板１６を設け、さらに位相差板１６の上面側に第１の偏光板１７を配設している。また、背面側ガラス基板１４の下面側には、第２の偏光板１８および図１または図２に示した板状の反射体１または５を順次設けている。
【００２６】
反射体１または５は、第２の偏光板１８の下面側に溝を形成した面が対向するように積層され、第２の偏光板１８と反射体１または５との間に、グリセリン等の光の屈折率に悪影響を与えることのない材料からなる粘着体１９が充填されている。
両ガラス基板１３、１４の対向面側にはＩＴＯ（インジウムスズ酸化物）等からなる透明電極層２０、２１がそれぞれ形成され、透明電極層２０、２１上にポリイミド樹脂等からなる配向膜２２、２３がそれぞれ設けられている。これら配向膜等の関係により液晶層１５中の液晶は２４０度捻れた配置となっている。
【００２７】
また、前記背面側ガラス基板１４と透明電極層２１との間に、図示していないカラーフィルタを印刷等で形成することにより、この液晶表示装置をカラー表示できるようにしてもよい。
【００２８】
本実施の形態の液晶表示装置においては、上述したように、反射体１または５自体が入射光の反射角度が広く、反射効率が高いという特性を持っているため、使用者が表示面をいずれの方向から視認した場合においても、従来の液晶表示装置に比べて視野角が広がり、明るい表示面とすることができる。
【００２９】
なお、本実施の形態の反射型液晶表示装置では、反射板を第２の偏光板の外側に配設する、いわゆる外付けの反射板とする例を説明したが、内蔵型としてもよい。また、液晶表示装置の例としてＳＴＮ方式のもので説明したが、液晶層の液晶分子の捻れ角を９０度に設定したＴＮ（Ｔｗｉｓｔｅｄ  Ｎｅｍａｔｉｃ  ）方式の液晶表示装置にも、本発明の反射体を適用し得ることは勿論である。
【００３０】
【実施例】
次に、上記第１、第２の実施の形態として説明した湾曲溝を備えた反射体、湾曲溝と直線溝を兼ね備えた反射体をそれぞれ用いて実際に反射特性を評価した結果について説明する。
（実施例１）
実施例１は、第１の実施の形態として示した、表面に湾曲溝のみを備えた反射体の例である。反射体の基材となる純アルミニウム材として、外形２００ｍｍ、内径１１０ｍｍのドーナツ状の円板を用いた。これを回転テーブル上に置いて回転させつつ、半径１００μｍのバイトを用いて円板表面を切削加工し、渦巻状の湾曲溝を形成した。そして、この円板から一辺３０ｍｍの正方形状の板を切り出し、実施例１の反射体を得た。この反射体は、湾曲溝の湾曲半径が６０ないし１００ｍｍ、溝幅が４５ないし５５μｍ、溝深さが３．０ないし３．４μｍを有するものである。
【００３１】
（実施例２）
実施例２は、第２の実施の形態として示した、表面に湾曲溝と直線溝を備えた反射体の例である。反射体の基材として用いた純アルミニウム製円板、湾曲溝形成に用いたバイトは、実施例１で用いたものと同一である。そして、これらを用いて円板表面に湾曲溝を形成した後、先端半径８μｍのダイヤモンドからなる圧子を用いて円板表面に湾曲溝に直交する直線溝を形成した。次いで、この直線溝の形成を繰り返した後、この円板から一辺３０ｍｍの正方形状の板を切り出し、実施例２の反射体を得た。この反射体は、実施例１と同様、湾曲溝の湾曲半径が６０ないし１００ｍｍ、湾曲溝の溝幅が４５ないし５５μｍ、湾曲溝の溝深さが３．０ないし３．４μｍであり、直線溝の溝幅が５ないし６μｍ、直線溝の溝深さが０．４ないし０．６μｍ、直線溝の溝間の幅が湾曲半径６０ｍｍの湾曲溝の位置で６．５ないし７．５μｍ、湾曲半径１００ｍｍの湾曲幅の位置で１３ないし１５μｍを有するものである。
【００３２】
上記のようにして作成した実施例１および実施例２の各反射体に対して、湾曲溝に直交する方向および湾曲溝に沿う方向それぞれにおける反射特性を示したのが図４および図５である。
これらの図は縦軸を反射率（反射強度）、横軸を反射角度とした反射特性曲線を示すグラフであり、図における反射特性曲線は、図６に示したように、反射体上に配置した点光源からの入射光Ｌ０  を、反射膜表面に立てた法線Ｈと反射特性を測定するための入射光線とを含む面内で上記法線Ｈから見た入射角度θ０  が３０度となるように入射させたとき、反射光Ｌの反射角度θを０から６０度に変化させた場合の反射率をプロットしたものである。なお、上記反射率は、液晶パネル評価装置（大塚電子社製ＬＣＤ５０００機種）を用い、白色板（ＭｇＯ標準白色面を持つ板）に入射角度３０度で照射した際の反射角度３０度における反射光の出力を基準として、反射光の出力を上記基準出力で除算して百分率（％）で表した値である。
【００３３】
また、図４および図５の中で、「０度、９０度」と示した角度は、図６に示したように、反射体の表面に立てた法線Ｈと湾曲溝に垂直な直線とを含む面と、上記法線Ｈと反射特性を測定するための入射光線Ｌ０  とを含む面とがなす角度ψのことである。したがって、０度の特性曲線（実線で示す）は、湾曲溝に直交する方向から法線に対する入射角度θ０  ＝３０度で入射する光に対する反射特性を測定したものであり、９０度の特性曲線（破線で示す）は、湾曲溝の接線方向から法線に対する入射角度θ０  ＝３０度で入射する光に対する反射特性を測定したものである。
【００３４】
湾曲溝のみを有する実施例１の反射体の場合、図４に示すように、湾曲溝に直交する方向からの入射光に対する反射特性（０度の反射特性曲線で示す）は反射角度が０度から５０度の広い範囲にわたっていくつものピークを持ち、この範囲で５００％以上の反射強度が確保できたが、湾曲溝に沿う方向からの入射光に対する反射特性（９０度の反射特性曲線）は従来と同様、反射角度３０度を中心とした狭いピークしか得られなかった。
これに対して、湾曲溝と直線溝を有する実施例２の反射体の場合、図５に示すように、湾曲溝に直交する方向からの入射光、湾曲溝に沿う方向からの入射光のいずれの反射特性も、反射強度は５００％以下とそれ程高くはないものの、反射角度が０度から５０度の範囲にわたってある程度の反射強度が広く分布する特性を得ることができた。
【００３５】
以上のデータから明らかなように、反射体表面に設ける溝を湾曲させることによってこの溝に直交する方向からの入射光に対する反射特性を改善することができ、さらに直線溝を付加することによって湾曲溝に沿う方向からの入射光に対する反射特性をも改善することができ、その結果、本発明の反射体によれば、あらゆる方向からの入射光に対する反射特性が向上することが実証された。
【００３６】
【発明の効果】
以上、詳細に説明したように、本発明の反射体においては、表面に円弧型の溝が、複数、個々にそれらの湾曲方向を揃えて連設され、前記複数の溝の外部上方に配置される光源からの入射光を反射自在としてなる構成としたことにより、溝に直交する外部方向から光が円弧型の溝に入射した際にその光の反射角度をより広げることができる。
また、上記円弧型の溝に加えて直線溝を設けた場合には、円弧型の溝に沿った方向から入射した光が直線溝の部分で広範囲に反射し、円弧型の溝に直交する方向に加えて円弧型の溝に沿った方向からの入射光に対しても光の反射角度を広げることができる。
したがって、本発明の反射型液晶表示装置によれば、反射体自体が高い反射効率と広範囲の反射方向を持っているため、従来の反射型液晶表示装置に比べていずれの方向においても視野角が広がり、表示面を全体的に明るくすることができる。
本発明の反射体において、サイズが２〜４インチの表示画面に適用され、前記円弧型の溝の湾曲半径Ｒが２０〜１００ｍｍであるならば、あるいは、サイズが４〜７インチの表示画面に適用され、前記円弧型の溝の湾曲半径Ｒが１００〜３００ｍｍであるならば、表示画面正面からの光を有効に利用することができ、周囲からの光の集光効率も高くすることができる。
本発明の反射体において、前記円弧型の溝の深さが内曲面の半径の１〜３％であるならば、円弧型の溝の内曲面の水平面に対する傾斜角度を好ましくすることができ、円弧型の溝に直交する方向から入射する光に対する反射特性を改善することができ、有効視野角に光を集光できる。
本発明の反射体において、前記円弧型の溝の幅が２５〜７５μｍの範囲とされてなるならば、干渉色が見えることが無く、円弧型の溝の稜線部による縞模様が目視されることもない。
本発明の反射体において、前記直線状の溝の幅が前記円弧型の溝の幅の３０％以内とされてなるならば、直線溝の反射特性が支配的になりすぎることが無く、円弧型の溝の傾斜面の形状効果を発揮できて、光を有効範囲に効率良く集光できる。
本発明の反射体において、前記直線状の溝の深さが前記円弧型の溝の内曲面の半径の１〜３％の範囲内とされてなるならば、１％未満であると水平面に対する直線溝の内曲面の傾斜角度が小さくなって湾曲溝に沿った方向から入射する光に対する反射特性を改善することができないという問題を無くすることができ、また、３％を越えると乱反射するようになって有効視野角に光を効率良く集光できなくなるという問題を無くして光を効率良く集光できる。
本発明の反射体において、前記直線状の溝の間隔が前記直線状の溝の幅の１.１〜３倍の範囲内とされてなるならば、１．１倍未満である場合の接近した直線溝を形成する際の塑性変形によって直線溝の形状が歪んでしまうという問題を回避でき、所望の反射特性を得られ、また、３倍を越えると湾曲溝の反射特性が支配的になりすぎ、湾曲溝に沿った方向から入射する光に対する反射特性を改善できないという問題を回避して反射特性の改善ができる。
【図面の簡単な説明】
【図１】本発明に係る反射体の第１の実施の形態を示す斜視図である。
【図２】本発明に係る反射体の第２の実施の形態を示す斜視図である。
【図３】本発明に係る反射型液晶表示装置の一実施の形態を示す断面図である。
【図４】本発明に係る実施例１の反射体の反射特性を示すグラフである。
【図５】同、実施例２の反射体の反射特性を示すグラフである。
【図６】図４および図５中の反射角度θおよびψを説明するための図である。
【図７】従来の反射体の一例を示す斜視図である。
【図８】従来の反射型液晶表示装置の一例を示す断面図である。
【符号の説明】
１，５  反射体
２，６  基板
３，７  湾曲溝
８  直線溝
【図１】
0003623341.tif 000002
【図２】
0003623341.tif 000003
【図３】
0003623341.tif 000004
【図４】
0003623341.tif 000005
【図５】
0003623341.tif 000006
【図６】
0003623341.tif 000007
【図７】
0003623341.tif 000008
【図８】
0003623341.tif 000009